(57)【要約】【課題】ヘッドボードとフットボード又はフットフレームとを箱状フレーム構成体でつないで構成されるベッドフレームにおいて、前記箱状フレーム構成体に手すり部材を適切且つ合理的に備えさせるようにする。【解決手段】マットレスの載置されるベッドフレームであって、ヘッドボードＨとフットボード又はフットフレームＦとをつなぐ木材又は木質材よりなる箱状フレーム構成体Ｂと、手すり部材Ｇとを有している。前記箱状フレーム構成体Ｂは、天板１と底板２と両者間に亘る仕切り板８とを有している。前記手すり部材Ｇを、前記箱状フレーム構成体Ｂにおける前記仕切り板８の配設位置において、その下部Ｇａを前記天板１に固定させて前記箱状フレーム構成体Ｂと一体化させてなる。【選択図】図１
2018000747.tif 000002
【特許請求の範囲】
【請求項１】
マットレスの載置されるベッドフレームであって、
ヘッドボードとフットボード又はフットフレームとをつなぐ木材又は木質材よりなる箱状フレーム構成体と、
手すり部材とを有しており、
前記箱状フレーム構成体は、天板と底板と両者間に亘る仕切り板とを有しており、
前記手すり部材を、前記箱状フレーム構成体における前記仕切り板の配設位置において、その下部を前記天板に固定させて前記箱状フレーム構成体と一体化させてなる、ベッドフレーム。
【請求項２】
前記手すり部材の前記下部は、ベッドの長さ方向において前記下部を二分する仮想の中心線を挟んだベッドのヘッド側とベッドのフット側とにそれぞれ、ボルトの通し孔を有しており、
前記手すり部材の前記下部を、前記中心線を前記仕切り板の上端の直上に位置させた状態で、前記通し孔を利用したボルト止めにより前記天板に固定させてなる、請求項１に記載のベッドフレーム。
【発明の詳細な説明】
【技術分野】
【０００１】
この発明は、マットレスを載置されてベッドを構成するベッドフレームの改良に関する。
【背景技術】
【０００２】
ベッドを構成するサイドフレームを利用して取り付けられる手すり装置として、特許文献１及び２に示されるものがある。
【先行技術文献】
【特許文献】
【０００３】
【特許文献１】特許第４５１４３１４号公報
【特許文献２】特許第３８６７１２０号公報
【発明の概要】
【発明が解決しようとする課題】
【０００４】
この発明が解決しようとする主たる問題点は、ベッドのヘッドボードとフットボード又はフットフレームとを木材又は木質材よりなる箱状フレーム構成体でつないで構成されるベッドフレームにおいて、前記箱状フレーム構成体に手すり部材を適切且つ合理的に備えさせるようにする点にある。
【課題を解決するための手段】
【０００５】
前記課題を達成するために、この発明にあっては、ベッドフレームを、マットレスの載置されるベッドフレームであって、
ヘッドボードとフットボード又はフットフレームとをつなぐ木材又は木質材よりなる箱状フレーム構成体と、
手すり部材とを有しており、
前記箱状フレーム構成体は、天板と底板と両者間に亘る仕切り板とを有しており、
前記手すり部材を、前記箱状フレーム構成体における前記仕切り板の配設位置において、その下部を前記天板に固定させて前記箱状フレーム構成体と一体化させてなる、ものとした。
【０００６】
これにより、手すり部材の利用時にガタツキや傾きなどを生じさせない態様での、木材又は木質材よりなる前記箱状フレーム構成体と、手すり部材との一体化が実現される。
【０００７】
前記手すり部材の前記下部は、ベッドの長さ方向において前記下部を二分する仮想の中心線を挟んだベッドのヘッド側とベッドのフット側とにそれぞれ、ボルトの通し孔を有しており、
前記手すり部材の前記下部を、前記中心線を前記仕切り板の上端の直上に位置させた状態で、前記通し孔を利用したボルト止めにより前記天板に固定させてなるものとしておくことが、この発明の好ましい態様の一つとされる。
【発明の効果】
【０００８】
この発明によれば、ベッドのヘッドボードとフットボード又はフットフレームとを木材又は木質材よりなる箱状フレーム構成体でつないで構成されるベッドフレームにおいて、前記箱状フレーム構成体に手すり部材を適切且つ合理的に備えさせることができる。
【図面の簡単な説明】
【０００９】
【図１】図１はこの発明の一実施の形態にかかるベッドフレーム（第一例）の分解斜視構成図である。
【図２】図２は前記ベッドフレームの平面構成図である。
【図３】図３は前記ベッドフレームの側面構成図である。
【図４】図４は前記ベッドフレームの要部断面構成図である。
【図５】図５は前記ベッドフレームの手すり部材を構成するジョイント体の斜視図である。
【図６】図６はこの発明の一実施の形態にかかるベッドフレーム（第二例）の要部分解斜視構成図である。
【発明を実施するための形態】
【００１０】
以下、図１〜図６に基づいて、この発明の典型的な実施の形態について、説明する。この実施の形態にかかるベッドフレームは、ベッドの下部を構成するものであって、図示しないマットレスを載置されてベッドを構成するものである。
【００１１】
前記ベッドフレームは、ヘッドボードＨとフットボード又はフットフレームＦとをつなぐ箱状フレーム構成体Ｂと、手すり部材Ｇとを有している。
【００１２】
前記箱状フレーム構成体Ｂは、木材（無垢材）又は木質材（合板、パーティクルボードなどの木質材料）から構成される。
【００１３】
図示の例では、 前記ベッドフレームは、さらに、サイドフレームＳ（サイドレールとも称される。）と、床板Ｐとを備えている。サイドフレームＳは、前記のように構成されるベッドの左右いずれか一方の側に配されてヘッドボードＨとフットボード又はフットフレームＦとをつないでいる。前記箱状フレーム構成体Ｂは、前記サイドフレームＳの側と反対の側に配されてヘッドボードＨとフットボード又はフットフレームＦとをつないでいる。図示は省略するが、ベッドの左右にそれぞれ箱状フレーム構成体Ｂを配し、左右の箱状フレーム構成体Ｂによって、ヘッドボードＨとフットボード又はフットフレームＦとをつなぐようにしてあっても良い。
【００１４】
図示の例では、サイドフレームＳは、ヘッドボードＨの右端とフットフレームＦの右端との間に介在されて両者を連結させている。（図２）この場合、典型的にはこのサイドフレームＳの側が壁などに近接されてベッドが設置される。一方、箱状フレーム構成体Ｂは、ベッドの全長に亘る長さと、ベッドの幅寸法の約５分の２を占める幅とを備え、この長さと幅とを持った天板１、底板２及び後板３と、ベッドのヘッド側に位置される側板４と、ベッドのフット側に位置される側板４とを有し、前面５を開放させている。箱状フレーム構成体Ｂは、ヘッドボードＨの左端とフットフレームＦの左端とを結ぶ仮想の直線にその開放された前面５を沿わせるようにしてこのヘッドボードＨとフットフレームＦとの間に介在されて両者を連結させている。具体的には、箱状フレーム構成体Ｂはヘッド側に位置される前記側板４をもってヘッドボードＨにボルト止めされ、フット側に位置される前記側板４をもってフットフレームＦにボルト止めされる。サイドフレームＳと箱状フレーム構成体Ｂとの間には床板Ｐが張り込まれ、この床板Ｐと箱状フレーム構成体Ｂの天板１がマットレスの載置面として機能するようになっている。より具体的には、床板Ｐは、図中符号６で示されるサイドフレームＳの内面側に設けた受け桟と、符号７で示される箱状フレーム構成体Ｂの後板３の外面側に設けた受け桟とを利用して張り込まれるようになっている。構成されるベッドの右側（図２における上側）が壁などに近接される場合には、サイドフレームＳを図２の上側に配し、箱状フレーム構成体Ｂを図２の下側に配するようにして、ベッドフレームを構成させる。
【００１５】
また、前記箱状フレーム構成体Ｂは、前記天板１と底板２と両者間に亘る仕切り板８とを有しいる。図１〜図５に示される例では、箱状フレーム構成体Ｂは、その内部に配される二枚の仕切り板８、８によってその内部に三箇所の抽斗の収納部９…９を有するようになっている。二枚の仕切り板８、８はそれぞれ、ベッドの左右方向に板面を沿わせるように配されて、ベッドのヘッド側の側板４と第一の仕切り板８との間、第一の仕切り板８と第二の仕切り板８との間、第二の仕切り板８とベッドのフット側の側板４との間にそれぞれ、前記前面において開放された抽斗１５の収納部９を形成させている。また、図６に示される例では、箱状フレーム構成体Ｂは、その内部に配される一枚の仕切り板８によってその内部に二箇所の抽斗１５の収納部９、９を有するようになっている。
【００１６】
図示の例では、仕切り板８は、棒体１０（ダボ）を利用して、天板１及び底板２と接合されている。棒体１０は、その全長の半分を仕切り板８部の上端部及び下端部に設けた穴に入れ込み、残りの半分を天板１及び底板２に設けた穴に入れ込み、接着により仕切り板８部並びに天板１及び底板２と一体化されている。なお、前記仕切り板８と天板１及び底板２は、公知の各種の手段によって一体化されていれば良く、一体化の手段は図示の棒体１０を利用したものに限らない。
【００１７】
一方、前記手すり部材Ｇは、前記箱状フレーム構成体Ｂにおける前記仕切り板８の配設位置において、その下部Ｇａを前記天板１に固定させて前記箱状フレーム構成体Ｂと一体化されている。
【００１８】
これにより、手すり部材Ｇの利用時にガタツキや傾きなどを生じさせない態様での、木材又は木質材よりなる前記箱状フレーム構成体Ｂと、手すり部材Ｇとの一体化が実現される。
【００１９】
この実施の形態にあっては、前記手すり部材Ｇの前記下部Ｇａは、ベッドの長さ方向において前記下部Ｇａを二分する仮想の中心線ｘ（図２参照）を挟んだベッドのヘッド側とベッドのフット側とにそれぞれ、ボルトの通し孔１１を有している。そして、この実施の形態にあっては、前記手すり部材Ｇの前記下部Ｇａを、前記中心線ｘを前記仕切り板８の上端の直上に位置させた状態で、前記通し孔１１を利用したボルト止めにより前記天板１に固定させている（図３参照）。
【００２０】
図示の例では、前記手すり部材Ｇは、本体１２と、ジョイント体１３とを組み合わせてなる。前記手すり部材Ｇは、典型的には、木材又は木質材から構成される。前記ジョイント体１３は、典型的には、金属から構成される。
【００２１】
前記本体１２は、上下方向に長い枠状を呈している。すなわち、前記本体１２は、上辺部１２ａと、下辺部１２ｂと、ベッドのヘッド側に位置される側辺部１２ｃと、ベッドのフット側に位置される側辺部１２ｃとを有している。主として、前記上辺部１２ａが手すり部材Ｇの利用時に把持される箇所となるようになっている。
【００２２】
前記ジョイント体１３は、水平部１３ａと、垂直部１３ｂとを有している。水平部１３ａは、ベッドの左右方向に長く、ベッドの長さ方向に短い長方形の板状を呈している。垂直部１３ｂは、水平部１３ａの幅側の辺部の一方に下端を一体化させて上方に突き出す帯板状を呈している。垂直部１３ｂは、前記中心線ｘを挟んで、ベッドのヘッド側と、ベッドのフット側とにそれぞれ形成されている。
【００２３】
前記本体１２と前記ジョイント体１３とは、前記本体１２の一面１２ｄに前記垂直部１３ｂの一面を添装させた状態で、前記側辺部１２ｃと前記垂直部１３ｂとをボルト止めすることで一体化されている。
【００２４】
前記ジョイント体１３の水平部１３ａが前記手すり部材Ｇの下部Ｇａとして機能するようになっている。前記水平部１３ａには、前記中心線ｘを挟んだベッドのヘッド側とベッドのフット側とにそれぞれ、ベッドの左右方向に隣り合う通し穴１１との間に間隔を開けて三箇所の前記通し穴１１…１１が形成されている。
【００２５】
箱状フレーム構成体Ｂの天板１には、前記仕切り板８の直上において、ボルトの通し穴１４が形成されている。前記本体１２の一面１２ｄが前記箱状フレーム構成体Ｂの収納部に納められる抽斗１５の前面１５ａを含む仮想の垂直面上に実質的に位置されるように前記天板１上に本体１２を配置すると共に、この天板１側の通し穴１４に前記水平部１３ａに設けた対応する通し穴１１を整合させるように天板１上に水平部１３ａを載置し、この状態から前記天板１の通し穴１４と前記水平部１３ａの通し穴１１とを利用してボルト止めすることで、箱状フレーム構成体Ｂに適切に手すり部材Ｇを取り付けることができるようになっている。
【００２６】
前記箱状フレーム構成体Ｂが二箇所の仕切り板８、８を備える場合には、前記ベッドのヘッド側と前記ベッドのフット側とにそれぞれ、手すり部材Ｇを適切に取り付け可能な箇所、いわば、ハードポイント１６を形成させることができる。手すり部材Ｇは、二箇所のハードポイント１６、１６の双方に取り付けてベッドフレームが二箇所の手すり部材Ｇを備えるようにしても、いずれか一方のハードポイント１６に取り付けてベッドフレームが一箇所の手すり部材Ｇを備えるようにしても、構わない。
【００２７】
このように構成されるベッドフレームの箱状フレーム構成体Ｂと床板Ｐ上にマットレスが載置されベッドが構成される。前記手すり部材Ｇの本体１２の上辺部１２ａは、このように載置されたマットレスの上面より上方に位置される。
【００２８】
なお、当然のことながら、本発明は以上に説明した実施形態に限定されるものではなく、本発明の目的を達成し得るすべての実施形態を含むものである。
【符号の説明】
【００２９】
Ｈ  ヘッドボード
Ｆ  フットフレーム
Ｂ  箱状フレーム構成体
Ｇ  手すり部材
Ｇａ  下部
１  天板
２  底板
８  仕切り板
【図１】
2018000747.tif 000003
【図２】
2018000747.tif 000004
【図３】
2018000747.tif 000005
【図４】
2018000747.tif 000006
【図５】
2018000747.tif 000007
【図６】
2018000747.tif 000008